【手続補正書】
【提出日】平成26年9月30日(2014.9.30)
【手続補正１】
【補正対象書類名】特許請求の範囲
【補正対象項目名】請求項１
【補正方法】変更
【補正の内容】
【請求項１】
開始操作が行われることに基づいて複数列の図柄を変動させて行う遊技が図柄表示手段で開始された後、停止操作に基づいて対応する列の図柄が停止される遊技機において、
前記開始操作に基づいて、特定役を含む複数種類の当選役のうち単数又は複数の当選役が対応付けられた当選情報の中から当選情報を決定することにより当選役を決定する当選役決定手段と、
前記図柄表示手段に表示結果を導出させるための前記停止操作を受付ける導出操作受付手段と、
前記当選役決定手段の決定結果及び前記導出操作受付手段が受付けた前記停止操作に応じて前記図柄表示手段に表示結果を導出させる制御を行う手段であって、前記特定役の決定がなされる場合、前記停止操作の特定の停止操作との一致を条件に特定停止態様による表示結果を導出させる一方、前記停止操作の特定の停止操作との不一致を条件に通常停止態様による表示結果を導出させる導出制御手段と、
前記特定役の決定がなされる場合に停止操作を報知する報知演出を行わせるための制御を行う報知制御手段と、
遊技者にとって有利な状態での遊技となる有利遊技状態と、前記有利遊技状態への移行に際し経由する準備遊技状態と、前記有利遊技状態に比べて遊技者にとって不利な通常の状態での遊技となる通常遊技状態とを含む遊技状態の制御を行う遊技状態制御手段と、
遊技に関連して前記有利遊技状態への移行条件の成立を許容する移行の権利を発生させるか否かを決定する権利発生手段と、
機本体とは別の外部機器を接続するための接続手段と、
前記有利遊技状態の制御中であることを示す制御中信号を前記外部機器に対して出力するための処理を行う信号出力処理手段と、
前記信号出力処理手段の処理による前記制御中信号の出力を許容するか否かを決定する信号出力許容手段と、を備え、
前記当選役決定手段は、
前記通常遊技状態中、当選役として前記特定役のうち準備移行契機役を決定可能とし、
前記準備遊技状態中、当選役として前記特定役のうち有利移行契機役と通常移行契機役を決定可能とし、
前記遊技状態制御手段は、
前記通常遊技状態中、前記準備移行契機役に対応する前記特定停止態様の表示結果の導出を契機に前記準備遊技状態に制御し、
前記準備遊技状態中、前記有利移行契機役に対応する前記特定停止態様の表示結果の導出を移行条件の成立として前記有利遊技状態に制御するとともに、前記通常移行契機役に対応する前記特定停止態様の表示結果の導出を契機に前記通常遊技状態に制御する一方、これら移行契機役に対応する前記通常停止態様の表示結果の導出によっては前記準備遊技状態の制御を維持し、
前記報知制御手段は、
前記通常遊技状態中、前記準備移行契機役の決定がなされる場合、前記移行の権利の発生中に前記特定の停止操作を報知する特定報知演出を行わせるとともに、前記移行の権利の発生中でなければ前記特定報知演出を行わせないように制御し、
前記準備遊技状態中、前記有利移行契機役又は前記通常移行契機役の決定がなされる場合、前記移行の権利の発生中に前記制御中信号の出力が許容されるまで前記特定の停止操作とは異なる停止操作を報知する通常報知演出を行わせるとともに、前記移行の権利の発生中でなければ前記通常報知演出を行わせないように制御する一方、前記有利移行契機役の決定がなされる場合、前記移行の権利の発生中で前記制御中信号の出力が許容されていれば前記特定報知演出を行わせ、
前記信号出力許容手段は、前記準備遊技状態中、前記通常停止態様の表示結果の導出に基づいて前記制御中信号の出力を許容するように構成され、
前記信号出力処理手段は、前記準備遊技状態中、前記移行条件の成立前であって前記制御中信号の出力が許容されていることを条件に前記移行条件の成立を契機として前記制御中信号を出力するための処理を行うことを特徴とする遊技機。
【手続補正２】
【補正対象書類名】特許請求の範囲
【補正対象項目名】請求項２
【補正方法】変更
【補正の内容】
【請求項２】
前記信号出力許容手段は、前記準備遊技状態中、前記通常停止態様の表示結果の導出の複数回の発生を条件に前記制御中信号の出力を許容するように構成された請求項１に記載の遊技機。
【手続補正３】
【補正対象書類名】明細書
【補正対象項目名】０００２
【補正方法】変更
【補正の内容】
【０００２】
従来から、遊技機の一種であるパチンコ式スロットマシン（回胴式遊技機、以下「パチスロ」と示す）では、遊技媒体（以下「メダル」と示す）が用いられ、パチスロへのメダルの投入により遊技を開始するようにしている。このようなパチスロとしては、例えば、特許文献１に記載のようなものが挙げられる。このパチスロでは、再遊技を付与する「リプレイ」の当選確率を高め、さらにメダルを増やすために遊技の補助を行う遊技者にとって有利な状態を行わせるようにしている。
【手続補正４】
【補正対象書類名】明細書
【補正対象項目名】０００３
【補正方法】変更
【補正の内容】
【０００３】
また、特許文献１では、所定の条件が成立することを契機に有利な状態の開始を示す外部出力信号を、遊技者が視認可能なデータカウンタやホールコンピュータといった外部機器に対して出力し、有利な状態となった回数をカウントさせるようにしている。
【手続補正５】
【補正対象書類名】明細書
【補正対象項目名】０００５
【補正方法】変更
【補正の内容】
【０００５】
しかしながら、このような特許文献１のパチスロでは、もともと想定されていない状況で所定の条件の成立が出現してしまうこともある。このような想定されていない状況で所定の条件の成立が出現する場合には、それに伴って外部出力信号も出力されてしまう結果、上述した有利な状態といった有利遊技状態となった回数が誤ってカウントされてしまっていた。
【手続補正６】
【補正対象書類名】明細書
【補正対象項目名】０００７
【補正方法】変更
【補正の内容】
【０００７】
上記目的を達成するために請求項１に記載の発明は、開始操作が行われることに基づいて複数列の図柄を変動させて行う遊技が図柄表示手段で開始された後、停止操作に基づいて対応する列の図柄が停止される遊技機において、前記開始操作に基づいて、特定役を含む複数種類の当選役のうち単数又は複数の当選役が対応付けられた当選情報の中から当選情報を決定することにより当選役を決定する当選役決定手段と、前記図柄表示手段に表示結果を導出させるための前記停止操作を受付ける導出操作受付手段と、前記当選役決定手段の決定結果及び前記導出操作受付手段が受付けた前記停止操作に応じて前記図柄表示手段に表示結果を導出させる制御を行う手段であって、前記特定役の決定がなされる場合、前記停止操作の特定の停止操作との一致を条件に特定停止態様による表示結果を導出させる一方、前記停止操作の特定の停止操作との不一致を条件に通常停止態様による表示結果を導出させる導出制御手段と、前記特定役の決定がなされる場合に停止操作を報知する報知演出を行わせるための制御を行う報知制御手段と、遊技者にとって有利な状態での遊技となる有利遊技状態と、前記有利遊技状態への移行に際し経由する準備遊技状態と、前記有利遊技状態に比べて遊技者にとって不利な通常の状態での遊技となる通常遊技状態とを含む遊技状態の制御を行う遊技状態制御手段と、遊技に関連して前記有利遊技状態への移行条件の成立を許容する移行の権利を発生させるか否かを決定する権利発生手段と、機本体とは別の外部機器を接続するための接続手段と、前記有利遊技状態の制御中であることを示す制御中信号を前記外部機器に対して出力するための処理を行う信号出力処理手段と、前記信号出力処理手段の処理による前記制御中信号の出力を許容するか否かを決定する信号出力許容手段と、を備え、前記当選役決定手段は、前記通常遊技状態中、当選役として前記特定役のうち準備移行契機役を決定可能とし、前記準備遊技状態中、当選役として前記特定役のうち有利移行契機役と通常移行契機役を決定可能とし、前記遊技状態制御手段は、前記通常遊技状態中、前記準備移行契機役に対応する前記特定停止態様の表示結果の導出を契機に前記準備遊技状態に制御し、前記準備遊技状態中、前記有利移行契機役に対応する前記特定停止態様の表示結果の導出を移行条件の成立として前記有利遊技状態に制御するとともに、前記通常移行契機役に対応する前記特定停止態様の表示結果の導出を契機に前記通常遊技状態に制御する一方、これら移行契機役に対応する前記通常停止態様の表示結果の導出によっては前記準備遊技状態の制御を維持し、前記報知制御手段は、前記通常遊技状態中、前記準備移行契機役の決定がなされる場合、前記移行の権利の発生中に前記特定の停止操作を報知する特定報知演出を行わせるとともに、前記移行の権利の発生中でなければ前記特定報知演出を行わせないように制御し、前記準備遊技状態中、前記有利移行契機役又は前記通常移行契機役の決定がなされる場合、前記移行の権利の発生中に前記制御中信号の出力が許容されるまで前記特定の停止操作とは異なる停止操作を報知する通常報知演出を行わせるとともに、前記移行の権利の発生中でなければ前記通常報知演出を行わせないように制御する一方、前記有利移行契機役の決定がなされる場合、前記移行の権利の発生中で前記制御中信号の出力が許容されていれば前記特定報知演出を行わせ、前記信号出力許容手段は、前記準備遊技状態中、前記通常停止態様の表示結果の導出に基づいて前記制御中信号の出力を許容するように構成され、前記信号出力処理手段は、前記準備遊技状態中、前記移行条件の成立前であって前記制御中信号の出力が許容されていることを条件に前記移行条件の成立を契機として前記制御中信号を出力するための処理を行うことを要旨とする。
【手続補正７】
【補正対象書類名】明細書
【補正対象項目名】０００８
【補正方法】変更
【補正の内容】
【０００８】
請求項２に記載の発明は、請求項１に記載の遊技機において、前記信号出力許容手段は、前記準備遊技状態中、前記通常停止態様の表示結果の導出の複数回の発生を条件に前記制御中信号の出力を許容するように構成されたことを要旨とする。
【手続補正８】
【補正対象書類名】明細書
【補正対象項目名】０２５５
【補正方法】変更
【補正の内容】
【０２５５】
次に、上記実施形態及び別例から把握できる技術的思想を以下に追記する。
（イ）前記報知制御手段は、前記準備遊技状態中、前記通常移行契機役の決定がなされる場合、前記移行の権利の発生中で前記制御中信号の出力の許容後も前記通常報知演出を行わせる。
【手続補正９】
【補正対象書類名】明細書
【補正対象項目名】０２５６
【補正方法】変更
【補正の内容】
【０２５６】
（ロ）前記移行条件の成立前であって、前記移行の権利の発生中、前記制御中信号を出力すべき状況であるか否かを判定する状況判定手段を備え、前記報知制御手段は、前記準備遊技状態中、前記有利移行契機役の決定がなされる場合、前記状況判定手段の判定結果が肯定であれば前記制御中信号の出力が許容されるまで前記通常報知演出を行わせるように制御する一方、前記状況判定手段の判定結果が否定であれば前記特定報知演出を行わせるように制御する。